(57)【要約】      （修正有）【課題】住宅などのリビングルーム、書斎室に設置されて、特に薄型書棚を天井面に固定して、部屋を広くとれるようにして、簡易にかつ適切に天井面に取り付けた状態なる伸長調整可能な天井固定式家具を提供する。【解決手段】狭幅の家具において、床面と天井面で固定して、高さを上下に自由に調整できるように書棚の枠体の側板部を被せた二重にして、天井面に当着できる外忰体２と床面に当着できる内枠体３とからなり、両枠体の側板部の両端に、間隔で掘り込み穴部８を設けて、棚板を載置できる金具を嵌入して棚板１０を数段設置して、天井面に当着できるコ字状になった外忰体は、天板部に２〜４箇所に貫通穴部を設けて、捻じ込みジャッキ金具１３を取り付けて、天井接着板１１を上部に調整的に移動させて天井に固定させる。床面に当着できる箱状内枠体は、底板の下に固定板を敷いて安定化させる。【選択図】図１
0003216113.tif 000002
【実用新案登録請求の範囲】
【請求項１】
奥行き狭幅の家具において、床面と天井面で固定して、高さを上下に自由に調整できるように家具の枠体の側板部を被せた二重にして、天井面に当着できる外忰体と床面に当着できる内枠体とからなり、両枠体の側板部の両端に、２０〜４０ｍｍの間隔でボルト、又はダボを嵌入できる寸法の掘り込み穴部を設けて、棚板を載置できるＬ字金具を前記嵌入して棚板を数段設置して、前記天井面に当着できる縦コ字状になった外忰体は、天板部に２〜４箇所に貫通穴部を設けて、捻じ込みジャッキ金具を取り付けて、天井接着板を上部に調整的移動させて天井に固定させて、前記床面に当着できる箱状内枠体は、底板の下に固定板を敷いて安定化をもたらしていることを特徴とする伸長調整可能な天井固定式家具。
【請求項２】
奥行き狭幅である２００〜３００ｍｍ幅の棚板を持つ家具は、横幅４００〜１２００ｍｍであって、内枠体は天板と底板と両側板と中間部の中板からなり、前面と裏面には空白部になり、高さとして１４００〜１８００ｍｍになり、外枠体は、内枠体に被せる状態で、天板と両側板のみからなっており、高さを１２００〜１８００ｍｍにしている書棚、収納棚、下駄箱棚、食器棚であることを特徴とする伸長調整可能な天井固定式か家具。
【請求項３】
前記家具の棚板は、厚さ２０〜３０ｍｍの無垢板、または合成木材であって、強度を持つ木質複合ボードの板材で製作されており、各棚板の間隔として２００〜４００ｍｍであって、内枠体には４〜８枚の棚板、縦コ字状外枠体には上部に２〜３枚の棚板からなっており、所望位置にＬ字金具を前記嵌入して棚板を載置するとともに、内枠体と外枠体の固着は、内枠体の上段範囲の２〜４箇所にネジビスで行っていることを特徴とする伸長調整可能な天井固定式家具。
【考案の詳細な説明】
【技術分野】
【０００１】  本考案は、住宅などのリビングルーム、書斎室、子供部屋などに設置されて、特に薄型家具を天井面に固定して、特に、既存の家屋内においても、部屋を広くとれるようにして、簡易にかつ適切に天井面に取り付けた状態なる伸長調整可能な天井固定式家具に関するものである。
【背景技術】
【０００２】  近年、著しく普及が進んでいる薄型のモニター、或いは書籍類においては、その薄さを利用して、スペースを有効利用すべく、下方から支持するのではなく、家屋の天井面に固定して、耐震性で安全に使用できる書棚、食器棚を取付けられることが期待されている。【０００３】コスト面、搬送面、保管面、外観面での利点に加え、デザインの自由度向上に寄与でき、さらには、背部材の十分な支持強度を担保できる書棚等の収納家具を提供するために、左右に離間して配置した１対の支持体と、物品載置面を有し、前記支持体に支持される１枚以上の棚板と、前記支持体から互いに偏位させて内方に突出させた２以上の突出部と、これら突出部間に生じる隙間に嵌め込むことにより取り外し可能に装着される背部材とを備えた書棚が提案されている（特許文献１参照）。【０００４】一般に溢れている本棚は、書籍収納部が水平であるため雑誌や週間誌などの「立たない本」の収納に不向きであるばかりか、収納されている本の数が少なくなると、本棚の余った空間に本が見苦しく倒れ込むという事態を生じさせていた。
本棚の書籍収納部に１０〜２０°程の傾斜を加えた本棚を製造することによって、それらの煩わしさを一挙に解消する。収納されている書籍の類は、最初から重力に傾いて収納されているわけだから、何冊本を抜き取っても、本棚に残された書籍類が倒潰することがない書籍収納部が提案されている（特許文献２参照）。【０００５】棚板の下面における前部および後部に、棚板の左右方向の寸法とほぼ同長でかつ全長にわたって下面が開口する凹溝を有するレールを設け、書棚本体の側板の内側面の前部および後部に上下位置変更可能に係着した棚受け具に前記凹溝端部を載置することにより、左右の側板間に棚板を架設した書棚が提案されている（特許文献３参照）。【０００６】釘やねじ等の保持力が弱い壁部であっても箱状家具を固定でき、上向きの力が加わっても箱状家具が脱落せず、箱状家具を安定して固定するために、壁部に取付固定される壁側取り付具と、箱状家具裏面に取り付固定される物品側取り付具を備える。壁側取り付具に、壁用固定ピンが壁部の奥側に向かって下側に向かうように傾斜して挿通される壁用固定ピン挿通孔、壁側フック部、係止用固定ピン挿通孔が設けられているものが提案されている（特許文献４参照）。【０００７】以上のように天井面、壁面に直接家具を固定する金具について、或いは方法については、多く提案されているが、既存の家屋内において、テレビボード家具、および書棚など家具を天井固定、壁面設置に関し、とくに書籍、装飾品の設置を簡易にかつ適切に壁面に取り付けた状態の天井面に固定した書籍等の家具はなく、これらを壁面で天井面に安定に取り付ける方法はほとんど存在していない。
【先行技術文献】
【特許文献】
【０００８】
【特許文献１】特開２００３−１１１６２８号公報
【特許文献２】特開２０００−３１６６４６号公報
【特許文献３】特開平８−１９１７２４号公報
【特許文献４】特開２０１３−１６２９５６号公報
【考案の概要】
【考案が解決しようとする課題】
【０００９】  本考案が解決しようとする課題は、上記の問題点に鑑み、既存の家屋等においても、書籍などを簡易にかつ適切に低コストで任意の場所に天井に固定して壁面に取り付けることができる薄型収納家具を提供することにある。上記特許文献では、構造上、天井面、壁面に物品の上部のみにしか壁掛け物品取り付具を取り付けることができず、１個の取り付具当たりの荷重が大きくなるので、比較的重量の大きい天井掛け物品を支持することは困難である。【００１０】書籍類、履物、食器、日用品などの収納棚においては、その薄さを利用して、スペースを有効利用すべく、下方から支持するのではなく、家屋の天井面に固定して、耐震性で安全に使用できる書棚を取付けられることが期待されている。住宅などのリビングルーム、書斎室、子供部屋などに設置されて、特に薄型書棚を天井面に固定して、特に、既存の家屋内においても、部屋を広くとれるようにして、簡易にかつ適切に天井面に取り付けた状態なる伸長調整可能な天井固定式家具を提供することにある。【００１１】  本考案は諸点に鑑みてなされたものであり、その目的は、天井面に特殊基板によって固定して、その面に薄幅の書類棚の家具類などを取付けたものであり、釘やねじ、比較的重い書類、書籍、履物、食器、日用品を棚に積載できるようにするとともに、物品が脱落しないようにして、地震にも安定して固定できるようにすることにある。
【課題を解決するための手段】
【００１２】奥行き狭幅の家具において、床面と天井面で固定して、高さを上下に自由に調整できるように家具の枠体の側板部を被せた二重にして、天井面に当着できる外忰体と床面に当着できる内枠体とからなり、両枠体の側板部の両端に、２０〜４０ｍｍの間隔でボルト、又はダボを嵌入できる寸法の掘り込み穴部を設けて、棚板を載置できるＬ字金具を前記嵌入して棚板を数段設置して、前記天井面に当着できるコ字状になった外忰体は、天板部に４箇所に貫通穴部を設けて、捻じ込みジャッキ金具を取り付けて、天井接着板を上部に調整的移動させて天井に固定させて、前記床面に当着できる箱状内枠体は、底板の下に固定板を敷いて安定化をもたらしている伸長調整可能な天井固定式家具である。【００１３】奥行き狭幅である２００〜３００ｍｍ幅の棚板を持つ家具は、横幅４００〜１２００ｍｍであって、内枠体は天板と底板と両側板と中間部の中板からなり、前面と裏面には空白部になり、高さとして１４００〜１８００ｍｍになり、外枠体は、内枠体に被せる状態で、天板と両側板のみからなっており、高さを１２００〜１８００ｍｍにしている書棚、収納棚、下駄箱棚、食器棚である。【００１４】前記家具の棚板は、厚さ２０〜３０ｍｍの無垢板、又は合成木材であって、強度を持つ木質複合ボードの板材で製作されており、各棚板の間隔として２００〜４００ｍｍであって、内枠体には４〜８枚の棚板、外枠体には上部に２〜３枚の棚板からなっており、所望位置にＬ字金具を前記嵌入して棚板を載置するとともに、内枠体と外枠体の固着は、内枠体の上段範囲の２〜４箇所にネジビスで行っている。
【考案の効果】
【００１５】  本考案によれば、上記のように、部屋内の空間部である壁面に、天井に固定して高さが自由に調節できて、狭幅の家具を簡単に設置できるようになって、狭い部屋自身を有効に活用できるようになり、部屋自身雰囲気を変えることができるようになった。また狭幅の家具は大きな奥行き及び幅を有するものではなく、適切な壁面部に設置することができるようになった。また既存の部屋においても家屋の壁面自体に加工をすることなく簡易にかつ低コストで、任意の箇所にてユーザーが壁掛け感覚を適切に体感することができる。【００１６】さらに部屋の壁面から独立した空間部で家具の天井面に固定して壁面部の表面に設置しているため、壁面部の強度が向上するため、通常の金具を壁面部に取り付ける場合より、重量のある機器、物品、書籍を載せた棚を取り付けて適切に、かつ、確実に保持することができる実益があった。
【図面の簡単な説明】
【００１７】
【図１】本考案の伸長調整可能な天井固定式家具の斜視図ある。
【図２】本考案の伸長調整可能な天井固定式家具の各部品の図ある。Ａ：内枠体  Ｂ：外枠体  Ｃ：天井接着板
【図３】伸長調整可能な天井固定式家具の天井面での取り付け状態図である。Ａ：シンプル型  Ｂ：開戸付型
【考案を実施するための形態】
【００１８】以下の実施例は、図をもって説明をする。図１は、本考案の壁面取り付け家具体テレビボードの組み立ての斜視図、図２は、本考案の壁面取り付け家具体本棚の組み立ての斜視図、図３は、壁面取り付け家具体における家具の取り付けの断面図である。
【実施例１】
【００１９】狭幅の書棚家具において、床面と天井面で固定して、高さを上下に自由に調整できるように書棚の枠体の側板部を被せた二重にして、天井面に当着できる外忰体と床面に当着できる内枠体とからなり、両枠体の側板部の両端に、２０〜４０ｍｍの間隔でボルト、又はダボを嵌入できる寸法の掘り込み穴部を設けて、棚板を載置できるＬ字金具を前記嵌入して棚板を数段設置して、前記天井面に当着できるコ字状になった外忰体は、天板部に４箇所に貫通穴部を設けて、捻じ込みジャッキ金具を取り付けて、天井接着板を上部に調整的移動させて天井に固定させて、前記床面に当着できる箱状内枠体は、底板の下に固定板を敷いて安定化をもたらしている。【００２０】狭幅である２５０ｍｍ幅の棚板を持つ書棚は、横幅１２００ｍｍであって、内枠体は天板と底板と両側板と中間部の中板からなり、前面と裏面には空白部になり、高さとして１６００ｍｍになり、外枠体は、内枠体に被せる状態で、天板と両側板のみからなっており、高さを１６００ｍｍにした。【００２１】前記書棚は、厚さ２０ｍｍの無垢板であって、強度を持つ木質複合ボードの板材で製作されており、各棚板の間隔として３００ｍｍであって、内枠体には６枚の棚板、外枠体には上部に２枚の棚板からなっており、所望位置にＬ字金具を前記嵌入して棚板を載置するとともに、内枠体と外枠体の固着は、内枠体の上段範囲の４箇所にネジビスで行った。
【実施例２】
【００２２】狭幅の書棚において、床面と天井面で固定して、高さを上下に自由に調整できるように書棚の枠体の側板部を被せた二重にして、天井面に当着できる外忰体と床面に当着できる内枠体とからなり、両枠体の側板部の両端に、４０ｍｍの間隔でボルトを嵌入できる寸法の掘り込み穴部を設けて、棚板を載置できるＬ字金具を前記嵌入して棚板を数段設置して、前記天井面に当着できるコ字状になった外忰体は、天板部に４箇所に貫通穴部を設けて、捻じ込みジャッキ金具を取り付けて、天井接着板を上部に調整的移動させて天井に固定させて、前記床面に当着できる箱状内枠体は、底板の下に固定板を敷いて安定化をもたらした。【００２３】狭幅である２００ｍｍ幅の棚板を持つ書棚は、横幅９００ｍｍであって、内枠体は天板と底板と両側板と中間部の中板からなり、前面と裏面には空白部になり、高さとして１５０００ｍｍになり、外枠体は、内枠体に被せる状態で、天板と両側板のみからなっており、高さを１２００ｍｍにした。【００２４】前記書棚は、厚さ２５ｍｍの無垢板であって、強度を持つ木質複合ボードの板材で製作されており、各棚板の間隔として３００ｍｍであって、内枠体には５枚の棚板、外枠体には上部に２〜３枚の棚板からなっており、所望位置にＬ字金具を前記嵌入して棚板を載置するとともに、内枠体と外枠体の固着は、内枠体の上段範囲の４箇所にネジビスで行った。
【実施例３】
【００２５】狭幅の書棚において、床面と天井面で固定して、高さを上下に自由に調整できるように書棚の枠体の側板部を被せた二重にして、天井面に当着できる外忰体と床面に当着できる内枠体とからなり、両枠体の側板部の両端に、２０〜４０ｍｍの間隔でボルト、又はダボを嵌入できる寸法の掘り込み穴部を設けて、棚板を載置できるＬ字金具を前記嵌入して棚板を数段設置して、前記天井面に当着できるコ字状になった外忰体は、天板部に４箇所に貫通穴部を設けて、捻じ込みジャッキ金具を取り付けて、天井接着板を上部に調整的移動させて天井に固定させて、前記床面に当着できる箱状内枠体は、底板の下に固定板を敷いて安定化をもたらしている。【００２６】狭幅である２００〜２５０ｍｍ幅の棚板を持つ書棚は、横幅６００〜１２００ｍｍであって、内枠体は天板と底板と両側板と中間部の中板からなり、前面と裏面には空白部になり、高さとして１４００〜１８００ｍｍになり、外枠体は、内枠体に被せる状態で、天板と両側板のみからなっており、高さを１２００〜１６００ｍｍにした。【００２７】前記書棚は、厚さ２０〜３０ｍｍの無垢板であって、強度を持つ木質複合ボードの板材で製作されており、各棚板の間隔として２００〜４００ｍｍであって、内枠体には４〜８枚の棚板、外枠体には上部に２〜３枚の棚板からなっており、所望位置にＬ字金具を前記嵌入して棚板を載置するとともに、内枠体と外枠体の固着は、内枠体の上段範囲の２〜４箇所にネジビスで行った。
【符号の説明】
【００２８】  １  伸長調整可能な天井固定式書家具
２  外忰体
３  内枠体
４  中板
５  固定板
６  壁面
７  天井面
８  穴部
９  収納部
１０  棚板
１１  天板
１２  側板
１３  捻じ込みジャッキ金具
１４  収納箱
１５  本
１６  床面
【図１】
0003216113.tif 000003
【図２】
0003216113.tif 000004
【図３】
0003216113.tif 000005
【手続補正書】
【提出日】平成30年2月15日(2018.2.15)
【手続補正１】
【補正対象書類名】実用新案登録請求の範囲
【補正対象項目名】全文
【補正方法】変更
【補正の内容】
【実用新案登録請求の範囲】
【請求項１】
奥行き狭幅の家具において、床面と天井面で固定して、高さを上下に自由に調整できるように家具の枠体の側板部を被せた二重にして、天井面に当着できる外忰体と床面に当着できる内枠体とからなり、両枠体の側板部の両端に、２０〜４０ｍｍの間隔でボルト、又はダボを嵌入できる寸法の掘り込み穴部を設けて、棚板を載置できるＬ字金具を前記嵌入して棚板を数段設置して、前記天井面に当着できる縦コ字状になった外忰体は、天板部に２〜４箇所に貫通穴部を設けて、捻じ込みジャッキ金具を取り付けて、天井接着板を上部に調整的移動させて天井に固定させて、前記床面に当着できる箱状内枠体は、底板の下に固定板を敷いて安定化をもたらしていることを特徴とする伸長調整可能な天井固定式家具。
【請求項２】
奥行き狭幅である２００〜３００ｍｍ幅の棚板を持つ家具は、横幅４００〜１２００ｍｍであって、当該家具の本体に当たる内枠体は天板と底板と両側板と中間部の中板からなり、前面と裏面には囲い部材を持たない棚のみであり、高さを１４００〜１８００ｍｍにして、縦コ字状の外枠体を前記内枠体に被せて、前記外枠体を上下に移動させることによって家具の伸長を調整可能にして、しかも天井に固定できるようになって、前記内枠体に被せる前記外枠体は、天板と両側板のみからなって、高さを１２００〜１８００ｍｍにして、前記内枠体の上に前記外枠体を被せ組み立てた家具であって、書棚、収納棚、下駄箱棚、食器棚として使用できることを特徴とする請求項１に記載の伸長調整可能な天井固定式家具。
【請求項３】
前記家具に使用する棚板は、厚さ２０〜３０ｍｍの無垢板、または合成木材であって、強度を持つ木質複合ボードの板材で製作されており、各棚板の間隔として２００〜４００ｍｍであって、内枠体には４〜８枚の棚板、縦コ字状外枠体には上部に２〜３枚の棚板からなっており、所望位置にＬ字金具を嵌入して棚板を載置するとともに、前記内枠体と前記外枠体の固着は、内枠体の上段範囲の２〜４箇所にネジビス止めによって行なわれていることを特徴とする請求項１、又は請求項２に記載の伸長調整可能な天井固定式家具。